(57)【要約】【課題】オフライン上で提供されている一般イメージ資料、または、専門イメージ資料を大容量、高画質にデジタル化し、それらコンテンツを有無線ネットワークを利用して高品質の映像に提供すると共に、コンテンツと関連した付加情報を連結して総合的な情報提供媒体として活用し得る方法を提供する。【解決手段】サーバシステムは、インターネットを介して複数のクライアントシステムと相互通信が可能であり、クライアントシステムの要請に応じて情報を提供する。当該サーバシステムは、多様な種類のデジタルイメージを高品質の映像データフォーマットに変換させるステップと、前記変換されたデータを編集および再構成するステップと、前記編集されたデータを格納するステップと、クライアントシステムの要請があるとインターネットを介してクライアントシステムに前記格納されたデータを伝送するステップとを順次行なう。【選択図】　　　　図３
2004007421.tif 000002
【特許請求の範囲】
【請求項１】
ネットワークを介して複数のクライアントシステムと相互通信が可能で、クライアントシステムの要請に応じて情報を提供し、かつ、デジタルイメージを高品質の映像データフォーマットに変換させる高品質映像変換システムと、変換されたデータを編集および再構成する編集システムと、編集されたデータを格納するデータベースとを含むサーバシステムに、
多様な種類のデジタルイメージを高品質の映像データフォーマットに変換させるステップと、
前記変換されたデータを編集および再構成するステップと、
前記編集されたデータを格納するステップと、
前記クライアントシステムの要請があると、ネットワークを介して当該クライアントシステムに前記格納されたデータを伝送するステップと、
を順次実行させることを特徴とする、ネットワークを介した大容量高品質デジタルイメージのリアルタイムサービス方法。
【請求項２】
前記多様な種類のデジタルイメージを高品質の映像データフォーマットに変換させるステップは、前記クライアントシステムからデジタルイメージが多様な倍率に拡大または縮小されて出力されるように前記デジタル情報を倍率を相違するようにして階層的なデータに変換させるステップと、複数の分割された領域を有するようにデジタルイメージを複数の下部セルに変換させるステップとを含むことを特徴とする、請求項１に記載のネットワークを介した大容量高品質デジタルイメージのリアルタイムサービス方法。
【請求項３】
ネットワークを介して前記サーバシステムに前記クライアントシステムが接続した場合には、当該サーバシステムに、前記高品質映像データを処理し得るクライアントアプリケーションを自動的に伝送させることを特徴とする、請求項１または請求項２に記載のネットワークを介した大容量高品質デジタルイメージのリアルタイムサービス方法。
【請求項４】
前記クライアントアプリケーションは、前記クライアントシステムで使用者の入力事項または画面識別子（ｖｉｅｗ　ｐｏｒｔ）の移動を追跡してサーバシステムに該当イメージの情報を要請することを特徴とする、請求項３に記載のネットワークを介した大容量高品質デジタルイメージのリアルタイムサービス方法。
【請求項５】
前記クライアントアプリケーションは、画面識別子周辺の映像情報を一緒にサーバに要請し、伝送された情報を臨時格納（ｃａｃｈｉｎｇ）し、画面上にそれ以上ディスプレイされない映像情報の削除をサーバに要請することを特徴とする、請求項４に記載のネットワークを介した大容量高品質デジタルイメージのリアルタイムサービス方法。
【請求項６】
前記サーバシステムは、複数の前記クライアントシステムから伝送される各要請に対し、重複する事項をキューイング（ｑｕｅｕｉｎｇ）により一つの命令として処理することを特徴とする、請求項１〜請求項５のいずれかに記載のネットワークを介した大容量高品質デジタルイメージのリアルタイムサービス方法。
【請求項７】
前記サーバシステムは、複数のクライアントシステムから伝送される多様な要請を非同期的に処理し、夫々の要請に対して特定されたアドレスを割当して、それら要請が処理されると直ちにクライアントシステムに処理結果を伝達することを特徴とする、請求項１〜請求項６のいずれかに記載のネットワークを介した大容量高品質デジタルイメージのリアルタイムサービス方法。
【請求項８】
前記サーバシステムは、クライアントが要請したデータに該当する部分の下部セルだけを伝送することを特徴とする、請求項１〜請求項７のいずれかに記載のネットワークを介した大容量高品質デジタルイメージのリアルタイムサービス方法。
【請求項９】
前記デジタルイメージは、写真、チラシ、パンフレットおよび美術作品などをスキャンまたはデジタル写真に変換したものであることを特徴とする、請求項１〜請求項８のいずれかに記載のネットワークを介した大容量高品質デジタルイメージのリアルタイムサービス方法。
【請求項１０】
前記高品質映像データには、動映像、サウンド、フラッシュアニメーション、ウェブページなどの付加的な情報および個別的に抽出された検索に必要なキーワードがインデックスデータとして一緒に構成されることを特徴とする、請求項１〜請求項９のいずれかに記載のネットワークを介した大容量高品質デジタルイメージのリアルタイムサービス方法。
【請求項１１】
前記サーバシステムは、前記クライアントシステムを介して接続した使用者がアップロードしたデジタルイメージを高品質映像データフォーマットに変換することを特徴とする、請求項１〜請求項１０のいずれかに記載のネットワークを介した大容量高品質デジタルイメージのリアルタイムサービス方法。
【請求項１２】
前記サーバシステムは、使用者が前記クライアントシステムでデジタルイメージを高品質映像データフォーマットに変換した後、当該サーバシステムにアップロードし得る高品質映像データ変換アプリケーションを伝送することを特徴とする、請求項１〜請求項１１のいずれかに記載のネットワークを介した大容量高品質デジタルイメージのリアルタイムサービス方法。
【請求項１３】
変換された高品質映像データは、追加的にサーバシステムで使用者の編集ステップが行なわれることを特徴とする、請求項１〜請求項１２のいずれかに記載のネットワークを介した大容量高品質デジタルイメージのリアルタイムサービス方法。
【発明の詳細な説明】
【０００１】
【発明の属する技術分野】
本発明は、ネットワークを介して大容量高品質のデジタル映像をサービスする方法に係るもので、詳しくは、日常生活で使用される各種イメージ資料および専門資料を提供することでイメージ資料の活用性を高め、インタラクティブ（ｉｎｔｅｒａｃｔｉｖｅ）な使用者インターフェースを介して多様な情報を提供し得る方法に関するものである。
【０００２】
【従来の技術】
従来の広告物、チラシ、広報紙およびパンフレットなど日常生活で一般に接する各種資料は、殆どが一回用として使用されているため、広告および広報効果があまり無く、長時間持続することもなかった。また、専門資料、例えば、美術館や展示館などに展示される各種美術作品や専門分野の写真作品などは、単純な情報だけを提供するか、または、該当作品を鑑賞するために美術館や展示館を直接訪問するべきである、という不便があった。
【０００３】
最近では、一部インターネットを介した美術館またはギャラリサービスが提供され、また、多様な形態のインターネットアルバムサービスが行なわれているが、所定ネットワーク帯域幅の範囲内で数百枚あるいは数万枚に達する膨大なイメージまたは数十ＭＢ〜数百ＭＢ以上となる巨大映像を処理することは出来なかったため、サービスしようとするイメージの品質および大きさを制限しなければならなかった。これは直ちにイメージの品質低下に繋がり、イメージと一緒に付加情報（動映像、サウンド等）を提供することは殆ど不可能であった。その理由は、ネットワークを介して巨大映像をリアルタイムで提供する方法に関する技術的な限界を克服することができなかったからであった。また、単に映像情報をダウンロードされて画面にディスプレイするため、使用者は高品質の作品をリアルタイムで鑑賞することが不可能であった。
【０００４】
【発明が解決しようとする課題】
本発明は、このような従来の課題に鑑みてなされたもので、オフライン上で提供されている各種写真や広告物、チラシ、広報紙およびパンフレットなどの一般イメージ資料、または、美術作品や専門の写真作品などの専門イメージ資料を大容量、高画質にデジタル化し、それらコンテンツを有無線ネットワークを利用して高品質の映像に提供すると共に、コンテンツと関連した付加情報を連結して総合的な情報提供媒体として活用し得る方法を提供することを目的とする。
【０００５】
【課題を解決するための手段】
前記目的を達成するために、本発明は、ネットワークを介した大容量高品質デジタルイメージのリアルタイムサービス方法であって、ネットワークを介して複数のクライアントシステムと相互通信が可能で、クライアントシステムの要請に応じて情報を提供し、かつ、デジタルイメージを高品質の映像データフォーマットに変換させる高品質映像変換システムと、変換されたデータを編集および再構成する編集システムと、編集されたデータを格納するデータベースとを含むサーバシステムに、多様な種類のデジタルイメージを高品質の映像データフォーマットに変換させるステップと、前記変換されたデータを編集および再構成するステップと、前記編集されたデータを格納するステップと、前記クライアントシステムの要請があると、ネットワークを介して当該クライアントシステムに前記格納されたデータを伝送するステップとを順次実行させることを特徴とする。
【０００６】
【発明の実施の形態】
以下、本発明の実施の形態に対し、図面を用いて説明する。
【０００７】
本発明によると、一般の個人用コンピュータの記憶装置に適合するように変形された小さいイメージが処理可能となる。したがって、如何なる大きさの巨大イメージでも使用者コンピュータでリアルタイムでディスプレイすることができるだけでなく、巨大イメージに付加して他の巨大イメージやアニメーション、その他のメディアファイルなどのハイパーリンクを提供することができる。
【０００８】
つまり、本発明によると、巨大イメージをネットワークを介して伝送することができる新しいクライアント／サーバモデルが設計されたことになる。
【０００９】
本発明の特徴を要約すると、次の通りである。
第一に、部分アクセス（ｐａｒｔｉａｌ　ａｃｃｅｓｓ）に基づいたイメージインコーディング。
【００１０】
第二に、イメージ情報を受けたクライアントシステムにおけるディスプレイ画面に該当するイメージ情報の臨時の格納（ｃａｃｈｉｎｇ）および不必要なイメージの除去。
【００１１】
第三に、イメージ情報を提供するサーバの知能的キューイング（ｑｕｅｕｉｎｇ）およびパイプライニング（ｐｉｐｅｌｉｎｉｎｇ）。
【００１２】
イメージインコーディング
部分アクセスは、非常に巨大なイメージを小さい下部セルに分割し、また、多重の倍率（ｍｕｌｔｉｐｌｅ　ｚｏｏｍ　ｌｅｖｅｌｓ）を有するように階層的データに変換させる。即ち、本発明では、巨大イメージ全体を伝送せず、高品質の映像データに変換された下部セルを伝送することでイメージ処理速度を大幅に向上させる。使用者が高解像度で全体の巨大イメージを見ることはないため、画面上に表示される下部セルだけがデータベースから伝送されてクライアントシステム内でディスプレイされる。それでネットワークを介して伝送される不必要なデータの量を大幅に低減することができるので、高速伝送およびディスプレイが可能になる。部分アクセスにおけるイメージの分割および階層的データ生成に対しては後述する。
【００１３】
クライアントシステム
使用者がインターネットなどを介してサーバに接続すると、サーバシステムからクライアントシステムに自動的にクライアントアプリケーションが伝送される。前記アプリケーションの主な役目は使用者の入力事項を追跡することで、また、マウスの動きによって画面上でその動きが決定される画面識別子（ｖｉｅｗ　ｐｏｒｔ）の位置を判別することである。このような追跡および判別によって必要な該当下部セルがサーバから全て伝送されてディスプレイされる。ネットワーク上におけるローディング（ｌｏａｄｉｎｇ）負担を最小化させるために、クライアントシステムは画面識別子周辺の下部セルを臨時格納する。もし、使用者が画面識別子近傍のイメージを探索すれば、それに関連した各下部セルは既にメモリに存在するようになる。したがって、別途にイメージファイルの伝送を要請する必要がなくなる。
【００１４】
使用者が画面識別子を移動させると、クライアントアプリケーションはクライアントからサーバに新しいイメージと関連した下部セルを要請する。この過程でネットワークを介した伝送およびサーバにおける処理中に時間的遅延が発生することがあり得る。しかし、使用者が画面識別子を移動させて新しいイメージを要請すると、以前のイメージと関連した下部セルはそれ以上必要ない。クライアントアプリケーションは、このような下部セルを削除するようにサーバに付加的な要請を行ない、このような要請によってネットワーク上のロードを低減することができる。
【００１５】
サーバシステム
キュー（ｑｕｅｕｅ）は、コンピュータプログラミングでデータが入った順番に除去される資料構造を意味する。本発明による知能的キューイングによると、多数のクライアントから伝送されるイメージ要請を取扱うに当って入出力を最小化させるようになる。例えば、クライアントＡが下部セル１、２、３、４を要請し、クライアントＢは３、４、５、６を要請すると仮定すると、キューイングレイヤ（ｑｕｅｕｉｎｇ　ｌａｙｅｒ）は、二つの要請における下部セル３、４を重複せず、下部セル１、２、３、４、５、６を一つの命令として受け入れる。したがって、多数のクライアントが同時に重複する情報を要請する場合、サーバにおける処理量が低減されて、その分だけ迅速な処理が可能になる。
【００１６】
一方、サーバシステムは、パイプライニングを使用してクライアントからの多数の要請を非同時的に処理する。通常、使用者はサーバに或る要請をした後はサーバからの回答を暫く待つようになる。サーバが一つの要請を実行することができなくなると、クライアントからの一連の要請が塞がるようになる。本発明では、パイプライニングを介してクライアントが多数の要請を同時にサーバに伝達し得るようにしている。
【００１７】
パイプライン（ｐｉｐｅｌｉｎｅ）とは、プロセッサへ伝送される命令語の動き、または、命令語を遂行するためにプロセッサにより取られた算術的な段階が、連続的且つある程度重なることを意味する。パイプラインがない場合は、コンピュータのプロセッサは、メモリから一番目の命令語を受けてそれが要求する演算を行ない、その後、次の命令語をメモリから受けるようになる。命令語を待機する間、プロセッサの算術演算部分は、次の命令語が到着することを待ちながら休憩するべきである。
【００１８】
しかし、パイプラインを使用すると、プロセッサが算術演算を行なう間次の命令語を受けることが可能で、それを次の命令語演算が遂行できる時までプロセッサ近傍のバッファに伝達する。命令語を受ける段階は絶えず継続される。その結果、与えられた時間内に遂行し得る命令語の数が増加する。
【００１９】
本発明において、サーバは、多数のクライアントから伝送される各々の要請に対して特定のアドレスを割当し、要請が処理されると直ちにクライアントに回答を伝送する。この時の回答の順序は、サーバが要請を受けた順序と同様である必要はない。このようなパイプライニングを介して、サーバは、使用者の予測よりも速かにクライアントシステムに応答することができる。
【００２０】
イメージインコーディング
本発明では、巨大なイメージ情報を含むデジタル情報を、部分アクセスに基づき次のような過程を経て高品質のデジタル映像データに変換する。
【００２１】
（１）巨大イメージを倍率に応じた多重の階層化されたデータに変換
（２）巨大イメージを複数の下部セルに分割
（３）分割されたセル単位にイメージを圧縮
高品質の映像データに変換するためには、ＢＭＰ（Ｂｉｔ　Ｍａｐ）、ＧＩＦ（Ｇｒａｐｈｉｃ　Ｉｎｔｅｒｃｈａｎｇｅ　Ｆｏｒｍａｔ）、ＰＮＧ（Ｐｏｒｔａｂｌｅ　Ｎｅｔｗｏｒｋ　Ｇｒａｐｈｉｃｓ）およびＪＰＧ（Ｊｏｉｎｔ　Ｐｈｏｔｏｇｒａｐｈｉｃ　Ｅｘｐｅｒｔｓ　Ｇｒｏｕｐ）などの一般イメージファイルを原本コンテンツとして使用することが可能で、ＰＤＦで作成された一部広告資料イメージファイルに変換して使用する。
【００２２】
階層的データ生成
本発明は、ネットワークを介してリアルタイムで伝送されるマルチメディアデジタル刊行物などのイメージが段階（倍率）別に速く明確に拡大または縮小される、高品質の映像を提供するために、階層的構造を有する映像データを生成する。即ち、原本イメージを１／２ｎ、　．．．、１／４、１／２、１倍などの倍率に変換させた各段階別多数のデータレイヤ（ｌａｙｅｒ）を生成する。
【００２３】
このように拡大または縮小段階別に生成されたデータレイヤにおいては、図１に示したように、高品質の個別映像は夫々拡大または縮小時にディスプレイされる倍率によってレイヤ別に構成され、拡大または縮小段階によって夫々のレイヤ７０、８０、９０が使用される。即ち、拡大する時は、上方側に位置するデータ７０から中間データ８０、下方側のデータ９０の順にディスプレイされ、縮小する時は、その逆順にディスプレイされる。また、ディスプレイされる画面を非連続的に変化させることもできる。
【００２４】
このような階層的な構造において、レイヤの数はグラフィック使用者インターフェース（Ｇｒａｐｈｉｃ　　Ｕｓｅｒ　　Ｉｎｔｅｒｆａｃｅ、以下、“ＧＵＩ”と略称す）によって決定される。図１を例に挙げて説明すると、３段階のデータレイヤが提示されているが、若し、ＧＵＩが４段階の拡大縮小を提供することができるならば、映像データは４階層を有するように変換される。
【００２５】
巨大イメージの分割
生成されたデータレイヤは複数の下部セルに分割する。このようなデータの分割は、巨大イメージを速かに伝送することを可能にする。巨大イメージが複数の下部セルに分割される単位は、クライアントシステムの処理能力およびネットワーク上の伝送速度により変化され、最適の範囲に下部セルの数が決定される。分割された各イメージは、各々のセルにインデックスが付けられ、各々の位置または順序によって統合される。統合された各セルは一つのファイルとして存在するが、クライアントの要請によって巨大イメージ中の該当部分のセルだけが伝送され、このような過程によりクライアントは速く所望部分のイメージを見ることができる。
【００２６】
以下、分割されたイメージデータをネットワーク環境でリアルタイムでディスプレイする過程に対し、図２を参照して説明する。データベースに格納された個別映像データ１１０、１２０は各々下部セルにより構成されている。図中、Ｅｉｊ、Ｆｉｊはｉ行ｊ列の各下位セル表す。
【００２７】
映像データを夫々の下部セル単位に分割して格納することは、上述したようにクライアントシステムの処理能力およびネットワークの伝送速度などによって決定されるが、分割される下部セルの数があまりにも多くなると、クライアントシステムの中央処理装置で処理速度がむしろ減少され、反対に、下部セルの数があまりにも少ない場合は、ネットワークを介した伝送速度が低下される。したがｔって、最適範囲に分割することが非常に重要である。
【００２８】
例えば、クライアントシステムの画面出力解像度が１０２４×７６８ピクセルであると仮定すると、一つの画面に出力できる大きさのイメージを横５個、縦４個の下部セルに分割する。このように最適に分割されたセルは、伝送過程またはイメージ出力過程における遅延をなくして、速いイメージ伝送を可能にする。
【００２９】
分割された夫々の下部セルは、後述するように圧縮された後、インデックスが附与されて全体イメージ内の位置および座標などが記録された後、一つのファイルに統合されてデータベースに格納される。
【００３０】
一方、本発明による高品質の映像データは、伝送速度を一層向上させるために圧縮された状態で格納することができる。
【００３１】
データの圧縮は、分割された夫々の下部セル単位に圧縮することが望ましい。各下部セルは、公知のＪＰＥＧおよびＧＩＦなどの圧縮技術を使用することができる。夫々の下部セルは、独立的に同一方法により圧縮することも可能で、夫々のセルを相違する方法により圧縮することもできる。例えば、図面と写真とが混ざっているデータの場合、図面を構成する部分にはＧＩＦ圧縮を、写真部分にはＪＰＥＧ圧縮を実行することができる。このようにすると、イメージの圧縮効率を一層向上させることが可能である。
【００３２】
圧縮された各下部セルは順序および位置によって統合され、各々にインデックスを附与した後データベースに格納される。このようなインデックスは、下部セルの基礎情報だけでなく、下部セルと関連する付加的な情報を一緒に包含することもできる。サーバシステムは、このようなインデックスに接近して所望の映像の下部セルだけを選択して高速伝送するようになる。
【００３３】
以下、図面を参照して本発明をより具体的に説明する。
図３は、全体的なサービス過程を示したフローチャートである。
【００３４】
先ず、広告主、画家、写真作家または個人使用者からコンテンツを収集する（１６０）。コンテンツ収集過程では、各コンテンツと関連する付加情報、例えば、動映像ファイル、サウンドファイル、テキスト説明資料などを一緒に包含することができる。
【００３５】
次いで、収集されたコンテンツはイメージファイルに変換するか、スキャニングしてデジタル情報に変換した後、本発明による高品質の映像データに製作される（１７０）。
【００３６】
次いで、高品質の映像データは臨時格納された状態で編集過程に入る（１８０）。
【００３７】
次いで、編集終了された高品質の映像データは、イメージデータベースおよび付加情報データベースに夫々格納された後（１９０）、クライアントからの情報要請があると、ネットワークを介してサーバからクライアントシステムに伝送される。
【００３８】
上述した過程をより詳しく説明する。
オフライン上の各種コンテンツ、例えば、一般写真、チラシ、パンフレット、美術作品などはスキャンやデジタル写真に変換するなどの過程を経由して高品質のデジタル映像データに製作される。ここで、高品質のデータには、付加情報（動映像、サウンド、フラッシュアニメーション、ウェブページ等）または個別的に抽出された検索に必要なキーワードがインデックスデータとして一緒に構成される。
【００３９】
製作された高品質のデジタルイメージは、個別的に格納するか、関連する内容をまとめて一つのパッケージ形態に再構成して格納することができる。この場合、編集可能な別途のプログラムを利用することができる。詳しくは後述する。
【００４０】
サーバシステムは、このような高品質の映像データに変換されたコンテンツをリアルタイムでサービス可能なプログラム（クライアントアプリケーション）を介して使用者の要求に対応する該当イメージ領域（使用者が所望する部分に該当する下部セル）をネットワークを介して伝送する。クライアントシステムでは、インターネットエクスプローラなどのブラウザを介してコンテンツをリアルタイムでブラウジングすることができる。
【００４１】
使用者が本発明の高品質映像資料を生成する方法は、ダウンロード方法とサーバプログラムを利用する方法の二つの方法がある。
【００４２】
前記ダウンロード方法は、製作プログラムをダウンロードされて使用者コンピュータシステムに設置した後、該プログラムを利用して一般映像資料を高品質の映像に変換してインターネットサーバにアップロードする方法で、また、前記サーバプログラムを利用する方法は、先ず、使用者が一般映像をサーバにアップロードした後、サーバに設置されたプログラムを利用してインターネット上で高品質の映像を直接製作する方法である。このように本発明によれば使用者がサーバと相互通信しながら相互作用することができるので、使用者の要求を一層満足させると共に、使用者の参加によりサービス効果を極大化させることができる。
【００４３】
前記過程で製作された高品質の映像資料は、サーバの臨時格納装置に格納される。
【００４４】
本発明にかかる方法には、使用者が高品質の映像資料を製作可能な製作過程と共に、高品質の映像資料を利用してギャラリまたはインターネットアルバムサイトを直接構成し得る編集過程が包含される。
【００４５】
ここで、臨時格納された高品質の映像を編集する過程に対し、図４〜図６を参照して説明する。
【００４６】
図４は、高品質の映像編集プログラムのＧＵＩを示したもので、編集プログラムは、メニュー領域２１０、作業領域２２０およびツールバー領域２３０により構成される。図５は、メニュー領域を示したもので、メニュー領域２１０は、キャンバス、編集、額縁、例およびヘルプなどのメニューにより構成され、夫々の機能によって下部メニューを包含することができる。
【００４７】
即ち、前記作業領域２２０は、高品質の映像を受入れて多様な作業を行ない得る作業空間である。
【００４８】
また、前記ツールバー領域２３０は、頻繁に使用されるメニューおよび特殊技能を行なうメニューの短縮アイコンを形成して、作業を簡便に行ない得るようにする。
【００４９】
このような編集プログラムを利用して、使用者は、個別映像に格納することも可能で、必要な映像資料を一つのパッケージ形式に構成してキャンバス（Ｃａｎｖａｓ）単位で格納することもできる。また、夫々の高品質の映像資料には額縁を追加することが可能で、動映像、サウンド、フラッシュなどのマルチメディア付加情報とテキストとを連結することもできる。キャンバス単位に格納する場合は、図６に示したように、一つのキャンバス（作業領域）２５０に複数個の高品質映像２６０ａ、２６０ｂを受入れて、大きさ、色相、マルチメディア付加情報、テキストおよび位置などを使用者が指定したり変更したりすることができる。
【００５０】
前記編集プログラムを利用して完成された高品質の映像またはキャンバスは、別途のデータベースに格納される。
【００５１】
前記編集プログラムはサーバで実行されるので、使用者はサーバに接続して編集プログラムを利用し、完成された高品質映像またはキャンバスは別途のデータベースに格納する。
【００５２】
図７は、高品質の映像ディスプレイのための使用者インターフェースを示した模式図で、使用者インターフェースは、機能ボタン領域３１０と、セクションメニューおよび検索領域３２０と、映像ディスプレイ領域３３０と、により構成されている。
【００５３】
前記機能ボタン領域３１０には、コンテンツを種類別に選択し得る道具、ディスプレイされた映像の一部分を選択し得る道具、選択した領域を印刷し得る道具、および選択した領域または個別映像を別途のファイルに格納し得るスクラップ機能などが包含される。
【００５４】
また、前記セクションメニューおよび検索領域３２０には、内容構成によって下位分類に区分されて、該当映像の情報が包含される。検索領域は、検索キーワードを入力できる部分および検索結果が表示される部分により構成される。検索結果は、目録の形態にセクションメニューの下段に表示される。
【００５５】
また、前記映像ディスプレイ領域３３０には、選択された映像がディスプレイされる。図４および図７に提示されたＧＵＩは一例にすぎず、当業者であればその他の変形された多様な形態のＧＵＩを提供することができる。
【００５６】
図８および図９は、本実施の形態にしたがったデジタルギャラリの例を示している。
【００５７】
一方、図１０〜図１３は、本実施の形態にしたがったデジタルアルバムを示している。
【００５８】
図１０は、使用者がインターネットアルバムに使用する写真資料をアップロードするためのＧＵＩの一例を示した画面キャプチャである。
【００５９】
図１１は、アップロードおよび構成が終了したインターネットアルバムの目録を示したＧＵＩの画面キャプチャである。
【００６０】
図１２は、本発明によって製作終了されたインターネットアルバムＧＵＩの実施例を示した画面キャプチャである。
【００６１】
図１３は、ズームインした時を示したＧＵＩの画面キャプチャである。
サーバ側のデータベースから伝送された高品質の映像は、多様な方法にディスプレイすることができる。
【００６２】
高品質の映像資料は、使用者の要求に応じて画面に表示される領域だけが伝送される。即ち、使用者がマウスを利用して映像を動かすと、新たに更新される領域だけがデータベースから伝送されてディスプレイされる。従って、使用者が希望する全ての方向に高品質デジタル映像を移動させることができる。また、使用者が希望する地点をマウスでクリックすると、自動的に該当地点を中心に位置させることができる。
【００６３】
映像の拡大／縮小機能は、所望の位置にマウスカーソルを位置させてクリックすることで、該当領域を拡大／縮小することができる。拡大／縮小は一段階ずつ行なうことができるが、一方、最上位段階から最下位段階までを一度に行なうこともできる。この時も更新される映像部分に対してだけサーバからデータを伝送されてディスプレイする。拡大／縮小時はサウンド、イメージ、テキストおよびフラッシュアニメーションなどのコンテンツを利用して、多様な効果を同時に表すことができる。
【００６４】
映像の特定位置にハイパーリンクされた付加情報がある場合、該当情報はリアルタイムで画面上にディスプレイされる。この時、付加情報がディスプレイされる領域は、映像に含まれていることも可能で、新しいウインドーを開いてディスプレイすることもできる。高品質映像と一緒に使用される付加情報データとしては、動映像ファイル、サウンドファイル、フラッシュアニメーション、他の高品質映像ファイル、テキスト情報およびウェブページアドレスなどが全て含まれる。
【００６５】
【発明の効果】
以上説明したように、本発明に係るネットワークを介した大容量高品質のデジタルイメージのリアルタイムサービス方法においては、相互関連がある映像データおよび付加情報データを一つのグラフィック使用者インターフェースを介して提供することで、使用者が容易に多様な情報を同時に獲得することが可能で、使用者は高速再生される映像画面から所望の情報を素早く検索することが可能で、細部情報を見るために画面を拡大する場合も同一解像度を提供することができる。また、必要な場合は多様な形態の付加情報を一緒に利用することができる。
【図面の簡単な説明】
【図１】階層化されたデータを示した模式図である。
【図２】巨大イメージを分割して伝送する過程を示した模式図である。
【図３】本発明に係る高品質デジタルイメージのインターネットサービス事業のためのシステムの全体過程を示したフローチャートである。
【図４】高品質映像編集プログラムのグラフィック使用者インターフェース（ＧＵＩ）を示した模式図である。
【図５】高品質映像編集プログラムのメニュー領域のＧＵＩを示した模式図である。
【図６】高品質映像編集プログラムの作業領域のＧＵＩを示した模式図である。
【図７】本発明の一実施の形態である高品質デジタルイメージサービスのＧＵＩの一例を示した模式図である。
【図８】本発明の一実施の形態であるサイバーギャラリＧＵＩの一例を示した画面キャプチャである。
【図９】本発明の一実施の形態であるサイバーギャラリのズームインされたＧＵＩの一と例を示した画面キャプチャである。
【図１０】本発明の一実施の形態であるインターネットアルバムで使用者が写真をサーバに伝送するためのＧＵＩの一例を示した画面キャプチャである。
【図１１】本発明の一実施の形態であるインターネットアルバムで製作終了されたアルバムの目録を示したＧＵＩの一例を示した画面キャプチャである。
【図１２】本発明の一実施の形態であるインターネットアルバムのＧＵＩの一例を示した画面キャプチャである。
【図１３】本発明の一実施の形態であるインターネットアルバムのズームインされたＧＵＩの一例を示した画面キャプチャである。
【符号の説明】
１６０　コンテンツ収集段階、１７０　高品質映像変換段階、１８０　編集段階、１９０　格納段階、２００　サービス提供段階。
【図１】
2004007421.tif 000003
【図２】
2004007421.tif 000004
【図３】
2004007421.tif 000005
【図４】
2004007421.tif 000006
【図５】
2004007421.tif 000007
【図６】
2004007421.tif 000008
【図７】
2004007421.tif 000009
【図８】
2004007421.tif 000010
【図９】
2004007421.tif 000011
【図１０】
2004007421.tif 000012
【図１１】
2004007421.tif 000013
【図１２】
2004007421.tif 000014
【図１３】
2004007421.tif 000015